(57)【要約】【課題】  給紙オプションフィーダーを装着可能な画像形成装置において、活電状態での装着を回避し電気回路へ与える不具合を防止することができる画像形成装置の提供。【解決手段】  本体搬送に利用する手掛り機構に上方への力が加わったことを検知する検知手段を有し、検知手段の検知状態に応じて、給紙オプションフィーダーに供給される電源を遮断することを特徴とする画像形成装置。【選択図】        図１
2007072178.tif 000002
【特許請求の範囲】
【請求項１】
給紙オプションフィーダーに電源を供給するための嵌合手段と本体の側面に形成された手掛り機構とを有し、前記給紙オプションフィーダーが着脱可能な画像形成装置において、
前記手掛り機構を利用し前記画像形成装置を持ち上げた事を検知する検知手段の状態によって、前記給紙オプションフィーダーへ供給される前記嵌合手段からの電源が遮断されることを特徴とする画像形成装置。
【請求項２】
請求項１に記載の画像形成装置において、前記手掛り機構に本体上方への力が加わった事を検知すると、前記給紙オプションフィーダーへ供給される電源が遮断されることを特徴とする画像形成装置。
【請求項３】
請求項１に記載の画像形成装置において、前記手掛り機構は可動式になっており、前記検知手段と連動していることを特徴とする画像形成装置。
【請求項４】
請求項１に記載の画像形成装置において、前記給紙オプションフィーダーに給紙動作に必要なドライバ回路を有しており、前記画像形成装置からの制御により前記給紙オプションフィーダーからの給紙動作を可能としていることを特徴とする画像形成装置。
【発明の詳細な説明】
【技術分野】
【０００１】
本発明は、給紙オプションフィーダーとの接続を可能とした嵌合手段を有する画像形成装置に関する。
【背景技術】
【０００２】
画像形成装置本体、及び給紙オプションフィーダーはそれぞれ独立して搬送可能な手掛り機構を有しており、給紙オプションフィーダーへは画像形成装置本体が有する嵌合手段から電源を供給し、給紙オプションフィーダーに有しているドライバ回路を画像形成装置本体から制御し、給紙動作を行っている。
【０００３】
画像形成装置本体から給紙オプションフィーダーに電源を供給する構成については、例えば特許文献１に記載されている。
【特許文献１】特開平８−２７６６４０号公報
【発明の開示】
【発明が解決しようとする課題】
【０００４】
しかしながら上記従来例では、画像形成装置本体と、給紙オプションフィーダーとはそれぞれ独立して搬送、及び脱着が可能であり、画像形成装置本体に電源が供給された状態では、給紙オプションフィーダーへの嵌合手段へも電源が供給された状態、即ち活電状態であるため、この状態で給紙オプションフィーダーを着脱させようとすると、本体側の制御回路部、あるいは給紙オプションフィーダー側のドライバ回路に不具合を起こす可能性があった。
【０００５】
本発明は、以上の点に着目して成されたもので、画像形成装置と給紙オプションカセットとの嵌合手段に供給される電源が遮断されることにより、活電状態での脱着を防止でき、内部の電気回路の不具合も防止できる画像形成装置を提供することを目的とする。
【課題を解決するための手段】
【０００６】
本発明は、以上説明した課題を次に記載の構成を採用することによって解決するものであり、本発明の画像形成装置では、給紙オプションフィーダーに電源を供給するための嵌合手段と本体の側面に形成された手掛り機構とを有し、給紙オプションフィーダーが脱着可能な画像形成装置において、前記手掛り機構を利用し前記画像形成装置を持ち上げる事を検知することによって、前記給紙オプションフィーダーへ供給される前記嵌合手段からの電源が遮断されることを特徴としたものである。
【発明の効果】
【０００７】
本発明によれば、画像形成装置本体に設けられた手掛り機構に上方への力が加わったことを検知すると、画像形成装置と給紙オプションカセットとの嵌合手段に供給される電源が遮断されることにより、活電状態での脱着を防止でき、内部の電気回路の不具合も防止できる。
【発明を実施するための最良の形態】
【０００８】
以下、本発明を適用した実施の形態について図面を参照して説明する。
【実施例】
【０００９】
図１は本発明を示すもので給紙オプションフィーダーを装着した画像形成装置の概略を表した側面方向からの断面図であり、図２は本発明の詳細を表す説明図である。
【００１０】
図１において、１は画像形成装置本体、２は給紙オプションフィーダーである。３ａは画像形成装置本体に形成された手掛り機構、３ｂは給紙オプションフィーダーに形成された手掛り機構である。この３ａ、及び３ｂは他方の側面にもそれぞれ形成されており、使用者は側面にある双方の手掛り機構を利用して装置の搬送を容易に行うことが可能となる。
【００１１】
４ａ、及び４ｂは画像形成装置本体と給紙オプションフィーダーとを電気的に接続し電源を供給するための嵌合手段であり、着脱のし易さからここではドロアコネクタを使用している。また、嵌合手段４ａ、４ｂはエンジン制御部とドライバ回路７との通信を行うための信号線の嵌合にも使用される。
【００１２】
５は手掛り機構３ａに対して画像形成装置本体上方向への力が加わったことを検知する検知手段であり、６は画像形成動作を司っているエンジン制御部であり、７は給紙オプションフィーダーの給紙動作を行うためのドライバ回路である。給紙オプションフィーダーの駆動は、画像形成装置本体を給紙オプションフィーダーに装着しギアが噛み合う事により得られ、エンジン制御部６からの給紙命令信号によりドライバ回路７の動作により記録用紙の搬送が行われる。
【００１３】
本図において、給紙オプションフィーダー２への電源はエンジン制御部６から検知手段である５を経由して嵌合手段４ａ、４ｂ、ドライバ回路７へと供給される。
【００１４】
図２、図３は検知手段５の検知する前の状態を表しており、同一機能には同一の番号を付している。
【００１５】
図２において、検知手段５には端子Ａ、端子Ｂ、端子Ｃを有しており、エンジン制御部６からの配線が端子Ｃへ接続され、嵌合手段４ａからの配線が端子Ａに接続され、端子Ｂは接続がなく開放状態である。また、検知手段５はレバー５ａを有しており、レバー５ａは手掛り機構３ａに有している可動部３０ａ（斜線部）と機械的に接続され連動している。
【００１６】
図３は図２の状態を模式的に表した図である。
【００１７】
エンジン制御部６からの配線は検知手段５の端子Ｃからレバー５ａを経て、端子Ａから嵌合手段４ａへと配線される。この配線状態により、画像形成装置本体から給紙オプションフィーダーへ電源が供給されることになる。
【００１８】
図４、図５は検知手段５の検知した後の状態を表しており、同一機能には同一の番号を付している。
【００１９】
図４において、手掛り機構３ａにある可動部３０ａ（斜線部）に矢印に示すような上方への力が加わることにより可動部３０ａは上に押し上げられ、これに伴い検知手段５のレバー５ａが閉じることになる。この状態は図５に示すように、検知手段５のレバー５ａは端子Ａと端子Ｂとが接続される構成となり、エンジン制御部６から嵌合手段４ａへの電源供給を行う配線が遮断されることになる。
【００２０】
検知手段５のレバー５ａはロック機構を有しておらず、上方への力が解除されると再び図２に示されるような配線、即ち、エンジン制御部６からの配線は検知手段５の端子Ｃからレバー５ａを経て、端子Ａから嵌合手段４ａへと配線される。この配線状態により、画像形成装置本体から給紙オプションフィーダーへ電源が供給されることになる。
【００２１】
本実施例において、検知手段に３端子のものを使用したが端子数はこの限りではない。
【００２２】
また、電源ライン、信号ラインの各ラインを遮断する構成をとることも可能である。
【図面の簡単な説明】
【００２３】
【図１】実施例の構成を示す画像形成装置の断面図
【図２】検知手段の検知前の構成図
【図３】検知手段の検知前の電気的模式図
【図４】検知手段の検知後の構成図
【図５】検知手段の検知後の電気的模式図
【符号の説明】
【００２４】
１          画像形成装置
２          給紙オプションフィーダー
３ａ、３ｂ  手掛り機構
４ａ、４ｂ  嵌合手段
５          検知手段
６          エンジン制御手段
７          ドライバ回路
【図１】
2007072178.tif 000003
【図２】
2007072178.tif 000004
【図３】
2007072178.tif 000005
【図４】
2007072178.tif 000006
【図５】
2007072178.tif 000007